(57)【要約】【課題】交流点灯されるショートアーク型放電ランプと、該放電ランプを囲むように配置される凹面反射鏡とよりなり、該反射鏡の前方開口側に突出する放電ランプの外部リードが給電線と接続され、該給電線が前記反射鏡に形成された貫通孔を貫通して外部に導出されてなる光源装置において、ランプ点灯時に給電線が振動して不快な音鳴りを発生することを防止した構造を提供せんとするものである。【解決手段】前記反射鏡内に配置された給電線が、同一平面内で半円形状が反転して連続する波形形状になっていることを特徴とする。【選択図】  図１
2013145656.tif 000002
【特許請求の範囲】
【請求項１】
交流点灯されるショートアーク型放電ランプと、該放電ランプを囲むように配置される凹面反射鏡とよりなり、該反射鏡の前方開口側に突出する前記放電ランプの外部リードが給電線と接続され、該給電線が前記反射鏡に形成された貫通孔を貫通して外部に導出されてなる光源装置において、
前記反射鏡内に配置された前記給電線が、同一平面内で半円形状が反転して連続する波形形状になっていることを特徴とする光源装置。
【請求項２】
前記給電線は、ニッケル線であることを特徴とする請求項１に記載の光源装置。
【発明の詳細な説明】
【技術分野】
【０００１】
この発明は、高圧放電ランプと凹面反射鏡とを備えた光源装置に関するものであり、特に、プロジェクタ装置に用いられる光源装置に係わるものである。
【背景技術】
【０００２】
ショートアーク型の高圧放電ランプは、発光管内に対向配置された一対の電極の先端距離が短く点光源に近いことから、反射鏡などの光学系と組み合わせることによって、効率よく光を利用することができ、映写機等のプロジェクタ装置用の光源装置として利用されている。
例えば、特開２００９−１１７２８４号公報（特許文献１）がその一例である。
【０００３】
図４にその構造が示されており、光源装置は、一対の電極が対向配置されたショートアーク型放電ランプ１０と、これを取り囲むように配置された回転楕円面形状の凹面反射鏡２０とからなる。放電ランプ１０は、発光部１１とその両端の封止部１２とを備え、前記発光部１１内には一対の電極１３、１３が対向配置され、一方の封止部１２が、前記凹面反射鏡２０の首部２１に接着剤２３によって取り付けられている。
反射鏡２０の前面開口側の他方の封止部１２から突出する外部リード１４には、給電線１５が接続され、該給電線１５は前記反射鏡２０に形成した貫通孔２２を貫通して反射鏡外部に導出され、図示しない交流電源に接続されている。
【０００４】
ところで、このような交流点灯型の光源装置においては、使用時に不快音が発生して、プロジェクタ使用者にとって耳障りとなっているという問題があった。
この不快音の発生源を突き止めたところ、放電ランプ１０に電力を供給する反射鏡２０内に張り渡された給電線１５（以下、ランプ給電線ともいう）が振動して音を発生していることが判明した。
【０００５】
この給電線の音鳴りついて更に検討したところ以下の現象によるものであることを突き止めた。
図５に示すように、プロジェクタや映写機の内部には、光源装置１や、点灯電源２、点灯回路３などが組み込まれており、これらは多数の配線によって接続されている。
そして、これらの配線のうち、たまたま前記光源装置１における放電ランプ１０への給電線１５と平行になる配線４が存在し、この配線４に直流電流が流れていると、ランプ給電線１５にはローレンツ力が働き、これが振動して音鳴りが発生していることが判明した。
【０００６】
図６でこのローレンツ力について簡単に説明する。
図において、ランプ給電線１５には交流電流が流れ、これと平行な配線４には直流電流が流れている。
図６（Ａ）示すように、ランプ給電線１５の電流Ｉ１と、配線４の電流Ｉ２が同じ向きのときは、磁界の向きが同じ方向になり、給電線１５と配線４間で磁界が弱められて互いに引力Ｆ１が発生する。
次いで、図６（Ｂ）に示すように、給電線１５に流れる電流I１の向きが反転すると、配線４の電流Ｉ２の向きとは反対方向になる。このとき、両線に形成される磁界の向きは反対になり、給電線１５と配線４間では磁界が強められて、互いに反発する斥力Ｆ２が発生する。
【０００７】
つまり、交流が供給されているランプ給電線１５には、配線４との間に引力と斥力が交番で作用することになり、これにより、給電線１５が振動し音鳴りの原因となっているものである。
光源ランプが組み込まれる装置内には多数の配線が施されており、たまたま給電線と平行もしくは平行に近い配線が存在すると、上記ローレンツ力の作用により給電線の音鳴りが発生する原因となるものである。
【０００８】
このような給電線の振動が原因で音鳴りが発生する問題を解決するために、特開２０１０−１８６６５６号公報（特許文献２）には、給電線を常磁性体や反磁性体の材料で構成した技術が提案されている。
この従来技術においては、給電線をモリブデン線や、銅を３０％含んだニッケル線（モネル）線を用いて、給電線に働く電磁力を小さくし、ランプへの給電線の振動を小さくして、音鳴りを防止する技術が開示されている。
しかしながら、このような技術では、給電線の材料選択の幅が極めて限定的に小さくなり、特別な材料を選択しなければならないという制約がかかという問題があった。
【先行技術文献】
【特許文献】
【０００９】
【特許文献１】特開２００９−１１７２８４号公報
【特許文献２】特開２０１０−１８６６５６号公報
【発明の概要】
【発明が解決しようとする課題】
【００１０】
この発明が解決しようとする課題は、交流点灯されるショートアーク放電ランプと、該放電ランプを囲むように配置される凹面反射鏡とよりなり、該反射鏡の前方開口側に突出する放電ランプの外部リードが給電線と接続され、該給電線が前記反射鏡に形成された貫通孔を貫通して外部に導出されてなる光源装置において、ランプ点灯時に前記給電線が振動して音鳴りを発生することを防止した構造を提供せんとするものである。
【課題を解決するための手段】
【００１１】
上記課題を解決するために、この発明に係る光源装置は、前記凹面反射鏡内に配置された給電線が、同一平面内で半円形状が反転して連続する波形形状になっていることを特徴とする。
【発明の効果】
【００１２】
この発明の光源装置によれば、放電ランプ前端側の外部リードに接続された給電線には、交流が供給されても磁界が発生することがなく、装置内の他の多数の直流が供給される配線とは平行状態になったとしても、該配線との間にローレンツ力が働くことがなく、前記給電線が振動することもないので、不快な音鳴りが発生することがないという効果を奏するものである。
【図面の簡単な説明】
【００１３】
【図１】本発明の光源装置の断面図。
【図２】本発明の光源装置の給電線の説明図。
【図３】本発明の給電線と装置内の配線との関係の説明図。
【図４】従来例の断面図。
【図５】従来例が装置内に組み込まれた説明図。
【図６】給電線の振動を説明する図。
【発明を実施するための形態】
【００１４】
図１において、発光部１１と封止部１２とを有するショートアーク型放電ランプ１０は、凹面反射鏡２０内に組み込まれている。そして、前記放電ランプ１０の、反射鏡２０の前面開口側の封止部１２からと突出する外部リード１４には給電線３０が接続され、該給電線３０は、反射鏡２０に形成された貫通孔２２を介して外部に導出されている。この給電線３０には通常ニッケル線が使用されるが、これは軟ニッケル線であって、その線径Φは０．５〜２．０ｍｍの中から、通電する電流に応じて選択される。
また、給電線３０は、導電性金属を複数含有した金属でもよく、給電線３０の表面に耐酸化性金属をメッキしたものでもよい。
しかして、前記反射鏡２０内に配置された給電線３０は、仮想の同一平面内において、半円形状が反転して連続する波形形状になっている。この波形形状は、反射鏡２０内の給電線３０の全長の７０％以上を占めることが好ましい。また、その局率半径は、例えば、３ｍｍ程度である。
【００１５】
この詳細が図２に示されていて、図２（Ａ）に示すように、給電線３０は、仮想の同一平面Ｘ内において、半円形状３１ａ，３１ｂ，３１ｃ，３１ｄ・・・が互いに反転して連続する波型形状をなしている。そして、この給電線３０に電流Ｉ１が流れている場合について説明する。
図２（Ｂ）は前記半円形状のひとつ３１ａを拡大して示したもので、該半形状給電線３１ａに電流Ｉ１が流れると、給電線３１ａには、該給電線３１ａに沿って、それぞれの場所に応じて磁界ｙ１，ｙ２，ｙ３，・・・が形成される。
そして、これらの磁界ｙ１，ｙ２，ｙ３・・・は、合成されて半形状の中心Ｐ１を通る磁界Ｙ１として表され、この場合には、下向きの磁界となる。
【００１６】
そして、隣の半円形状３１ｂにおいては、同様に、その中心Ｐ２を通る上向きの磁界Ｙ２が生じる。以下同様に、次の半円形状３１ｃ，３１ｄにおいてもそれぞれ、その中心Ｐ３，Ｐ４を通る磁界Ｙ３，Ｙ４が形成される。
こうして、給電線３０には隣接する半円形状において、互いに逆向きの磁界が形成されるので、これらは互いに打ち消し合って、結局、給電線３０には磁界が形成されないことになる。
【００１７】
このため、図３に示すように、交流が供給される給電線３０の近傍の配線４に直流電源が供給されていても、給電線３０には磁界が形成されないので、配線４の磁界の影響を受けることがなく、ローレンツ力が働くようなこともない。そのため、給電線３０は振動することがなく、不快な音鳴りを生じることもない。
なお、給電線３０の半円形状は、厳密な意味で半円形状である必要はなく、半円形状成分として磁界が発生し、隣同士で打ち消し合うようなものであればよく、必ずしも磁界がゼロになっている必要はない。
また、その曲率半径は一様である必要はなく、いくつかの曲率半径のものを組み合わせてもよく、その時、磁界の合計がゼロまたはゼロに近いものであればよい。
【００１８】
以上説明したように、本発明に係る光源装置は、反射鏡内に配置され、交流点灯されるショートアーク放電ランプの外部リードに接続される給電線を、同一平面内で半円形状が反転して連続する波形形状としたことにより、この給電線には磁界が形成されず、他の配線との間でローレンツ力が作用するようなことがなく、給電線に交流が供給されても振動を発生しないので、不快な音鳴りを生じることがないものである。
【符号の説明】
【００１９】
１０      放電ランプ
１１      発光部
１２      封止部
１３      電極
１４      外部リード
２０      凹面反射鏡
２２      貫通孔
３０      給電線
Ｘ        仮想平面
Ｙ        磁界
【図１】
2013145656.tif 000003
【図２】
2013145656.tif 000004
【図３】
2013145656.tif 000005
【図４】
2013145656.tif 000006
【図５】
2013145656.tif 000007
【図６】
2013145656.tif 000008